(57)【要約】【課題】タッチセンサの感度の劣化を防止することができるようにする。【解決手段】タッチセンサ機能を有するタッチセンサ付液晶パネルと、タッチセンサ付液晶パネルの上側面に配置される上偏光板と、タッチセンサ付液晶パネルの下側面に配置される下偏光板と、タッチセンサ付液晶パネルと上偏光板との間に配置される導電層とを有する構成において、視野角補償機能を有する位相差板が、タッチセンサ付液晶パネルと下偏光板との間に配置されることで、タッチセンサの感度の劣化が防止される。本技術は、例えば、タッチセンサ付きの表示装置に適用することができる。【選択図】図１
2015212962.tif 000002
【特許請求の範囲】
【請求項１】
画像を表示する表示領域を有する表示パネルと、
前記表示領域の少なくとも一部と平面的に重なって配置されたタッチセンサと、
視野角補償機能を有する光学フィルムと、
前記表示パネルに対して、前記タッチセンサによる検出が行われる上側に配置される導電層と
を備え、
前記光学フィルムは、前記表示パネルに対して、前記上側の反対側である下側に配置される
表示装置。
【請求項２】
前記表示パネルは、液晶パネルであって、
前記液晶パネルの前記上側に配置され、所定の偏光の光のみを透過する上偏光板と、
前記液晶パネルの前記下側に配置され、所定の偏光の光のみを透過する下偏光板と
をさらに備え、
前記光学フィルムは、前記液晶パネルと前記下偏光板との間に配置され、
前記導電層は、前記表示パネルと前記上偏光板との間に配置される
請求項１に記載の表示装置。
【請求項３】
前記液晶パネルは、横電界方式により駆動される液晶パネルであって、
前記液晶パネル、前記上偏光板、及び前記下偏光板は、前記下偏光板の透過軸と前記液晶パネルの液晶層の初期配向方向が平行となるように配置されるか、又は前記下偏光板の吸収軸と前記液晶層の初期配向方向が平面視で直交するように配置される
請求項２に記載の表示装置。
【請求項４】
前記液晶パネルは、複数のスリット状開口が形成された電極を有しており、
前記電極は、前記スリット状開口の長手方向が、前記液晶パネルの幅方向と平行となるように配置される
請求項３に記載の表示装置。
【請求項５】
前記光学フィルムは、位相差板である
請求項２に記載の表示装置。
【請求項６】
前記タッチセンサと前記表示パネルとは、一体に構成される
請求項２に記載の表示装置。
【請求項７】
前記タッチセンサのセンサ用検出電極は、前記上偏光板と前記光学フィルムとの間に存する
請求項６に記載の表示装置。
【請求項８】
前記表示パネルは、液晶層を挟んで前記下側に設けられる画素基板と前記上側に設けられる対向基板とを有する液晶パネルであり、
前記タッチセンサのセンサ用駆動電極及び前記センサ用検出電極は、前記対向基板に形成される
請求項７に記載の表示装置。
【請求項９】
画像を表示する表示領域を有する表示パネルと、
前記表示領域の少なくとも一部と平面的に重なって配置されたタッチセンサと、
視野角補償機能を有する光学フィルムと、
前記表示パネルに対して、前記タッチセンサによる検出が行われる上側に配置される導電層と
を有し、
前記光学フィルムは、前記表示パネルに対して、前記上側の反対側である下側に配置される
表示装置を備えた電子機器。
【発明の詳細な説明】
【技術分野】
【０００１】
本技術は、表示装置及び電子機器に関し、特に、タッチセンサの感度の劣化を防止することができるようにした表示装置及び電子機器に関する。
【背景技術】
【０００２】
近年、タッチパネルと称される、接触検出装置（以下、タッチセンサという）を液晶表示装置上に直接装着するとともに、液晶表示装置に各種のボタンのGUI（Graphical User Interface）を表示させることにより、物理的なボタンの代わりとして情報入力を可能にした表示装置が注目されている。本出願人は、モバイル機器用途に適したタッチセンサ付きの表示装置を先に提案している（例えば、特許文献１参照）。
【０００３】
また、特許文献２には、液晶表示装置において、位相差板を設けることで視野角補償効果が得られることが記載されている。
【先行技術文献】
【特許文献】
【０００４】
【特許文献１】特開２００９−２４４９５８号公報
【特許文献２】特開２００７−２１８９４０号公報
【発明の概要】
【発明が解決しようとする課題】
【０００５】
ところで、タッチセンサ付の液晶パネルにおいて、位相差板等の視野角補償用の光学フィルムを用いる場合、液晶パネルの上下に設けられる偏光板のうちの上偏光板と、液晶パネルとの間に光学フィルムを配置すると、光学フィルムの誘電率の低さから、タッチセンサの感度が低下する可能性がある。
【０００６】
そのため、タッチセンサ付の液晶パネルにおいて視野角補償用の光学フィルムを用いる場合に、タッチセンサの感度の劣化を防止できるようにすることが求められていた。
【０００７】
本技術はこのような状況に鑑みてなされたものであり、視野角補償用の光学フィルムを有するタッチセンサ付の液晶パネルにおいて、タッチセンサの感度の劣化を防止することができるようにするものである。
【課題を解決するための手段】
【０００８】
本技術の第１の側面の表示装置は、画像を表示する表示領域を有する表示パネルと、前記表示領域の少なくとも一部と平面的に重なって配置されたタッチセンサと、視野角補償機能を有する光学フィルムと、前記表示パネルに対して、前記タッチセンサによる検出が行われる上側に配置される導電層とを備え、前記光学フィルムは、前記表示パネルに対して、前記上側の反対側である下側に配置される。
【０００９】
前記表示パネルは、液晶パネルであって、前記液晶パネルの前記上側に配置され、所定の偏光の光のみを透過する上偏光板と、前記液晶パネルの前記下側に配置され、所定の偏光の光のみを透過する下偏光板とをさらに備え、前記光学フィルムは、前記液晶パネルと前記下偏光板との間に配置され、前記導電層は、前記表示パネルと前記上偏光板との間に配置される。
【００１０】
前記液晶パネルは、横電界方式により駆動される液晶パネルであって、前記液晶パネル、前記上偏光板、及び前記下偏光板は、前記下偏光板の透過軸と前記液晶パネルの液晶層の初期配向方向が平行となるように配置されるか、又は前記下偏光板の吸収軸と前記液晶層の初期配向方向が平面視で直交するように配置される。
【００１１】
前記液晶パネルは、複数のスリット状開口が形成された電極を有しており、
前記電極は、前記スリット状開口の長手方向が、前記液晶パネルの幅方向と平行となるように配置される。
【００１２】
前記光学フィルムは、位相差板である。
【００１３】
前記タッチセンサと、前記表示パネルとは一体に構成される。
【００１４】
前記タッチセンサのセンサ用検出電極は、前記上偏光板と前記光学フィルムとの間に存する。
【００１５】
前記表示パネルは、液晶層を挟んで下面側に設けられる画素基板と上面側に設けられる対向基板とを有する液晶パネルであり、前記タッチセンサのセンサ用駆動電極及び前記センサ用検出電極は、前記対向基板に形成される。
【００１６】
本技術の第１の側面の表示装置は、画像を表示する表示領域を有する表示パネルと、表示領域の少なくとも一部と平面的に重なって配置されたタッチセンサと、視野角補償機能を有する光学フィルムと備える。そして、この表示装置においては、光学フィルムが、表示パネルの下面側に形成される層が、表示パネルの上面側に形成される層よりも厚くなるように配置される。
【００１７】
本技術の第２の側面の電子機器は、画像を表示する表示領域を有する表示パネルと、前記表示領域の少なくとも一部と平面的に重なって配置されたタッチセンサと、視野角補償機能を有する光学フィルムと、前記表示パネルに対して、前記タッチセンサによる検出が行われる上側に配置される導電層とを有し、前記光学フィルムは、前記表示パネルに対して、前記上側の反対側である下側に配置される表示装置を備える。
【００１８】
本技術の第２の側面の電子機器は、画像を表示する表示領域を有する表示パネルと、表示領域の少なくとも一部と平面的に重なって配置されたタッチセンサと、視野角補償機能を有する光学フィルムとを有する表示装置を備える。そして、この電子機器においては、光学フィルムが、表示パネルの下面側に形成される層が、表示パネルの上面側に形成される層よりも厚くなるように配置される。
【発明の効果】
【００１９】
本技術の第１の側面及び第２の側面によれば、タッチセンサの感度の劣化を防止することができる。
【図面の簡単な説明】
【００２０】
【図１】本技術の第１の実施の形態の液晶表示部の概略断面構造を示す断面図である。
【図２】Ｏモード配置の液晶表示部の構成例を示す図である。
【図３】Ｅモード配置の液晶表示部の構成例を示す図である。
【図４】Ｅモード配置で横スリットの液晶表示部の構成例を示す図である。
【図５】本技術の第２の実施の形態の液晶表示部の概略断面構造を示す断面図である。
【図６】本技術の一実施の形態に係る表示装置の構成例を示す図である。
【発明を実施するための形態】
【００２１】
以下、図面を参照しながら本技術の実施の形態について説明する。
【００２２】
なお、液晶表示装置の液晶層に電界を印加する方式としては、横電界方式と縦電界方式が知られている。横電界方式の液晶表示装置は、液晶層を挟んで配置される一対の基板のうちの一方の内面側に一対の電極を互いに絶縁して設け、概ね横方向の電界を液晶分子に対して印加するものである。この横電界方式の液晶表示装置には、一対の電極が平面視で重なるFFS（Fringe Field Switching）モードや、重ならないIPS（In Plane Switching）モードなどがある。一方、縦電界方式の液晶表示装置は、液晶層を挟んで配置される一対の電極により、概ね縦方向の電界を液晶分子に印加するものである。この縦電界方式には、ＶＡ（Vertical Alignment）モードやＴＮ（Twisted Nematic）モードなどがある。
【００２３】
そこで、以下の説明では、第１の実施の形態として、FFSモード等の横電界方式の液晶パネルを説明し、第２の実施の形態として、ＶＡモード等の縦電界方式の液晶パネルを説明する。
【００２４】
＜第１の実施の形態＞
［横電界方式の液晶表示部の断面図］
図１は、本技術の第１の実施の形態の液晶表示部の概略断面構造を示す断面図である。
【００２５】
図１では、本技術の液晶表示部１０の構造の説明を分かり易くするため、一般的な液晶表示部１の構造と比較しながら説明する。すなわち、図１Ａは一般的な液晶表示部１の構造を示し、図１Ｂは本技術の液晶表示部１０の構造を示している。
【００２６】
図１の液晶表示部１，１０には、表示パネルとして液晶パネルを用いるとともに、この液晶パネルに元々備えられている電極の一部及び表示用駆動信号を兼用することで、静電容量型タッチセンサとして構成された、インセル型のタッチセンサ付液晶パネル４１が設けられる。
【００２７】
タッチセンサ付液晶パネル４１は、例えば、FFSモード等の横電界方式の液晶からなる。タッチセンサ付液晶パネル４１では、対向配置された画素基板３１と対向基板３２との間に液晶層３３が挿設される。液晶層３３は、基板面に対して略平行に配向する複数の液晶分子５１を有し、電界の状態に応じてそこを通過する光を変調する。
【００２８】
画素基板３１は、バックライト（後述する図６のバックライト２１１）から光が入射する側に配置される。画素基板３１は、回路基板としての透明基板と、この透明基板上に、マトリックス状に配置された複数の画素電極を有する。
【００２９】
対向基板３２は、液晶層３３で変調された光が出射する側（ユーザ側）に配置される。対向基板３２は、透明基板と、この透明基板の一方の面に形成されたカラーフィルタと、このカラーフィルタ上に形成された共通電極を有する。カラーフィルタは、液晶層３３を通過してきた光を、例えば、赤（Ｒ）、緑（Ｇ）、及び青（Ｂ）の三原色の光として取り出すために設けられる。
【００３０】
共通電極は、タッチ検出動作を行うタッチセンサの一部を構成するセンサ用駆動電極としても兼用される。また、透明基板の他方の面には、センサ用検出電極が形成される。すなわち、タッチセンサ付液晶パネル４１では、対向配置される共通電極とセンサ用検出電極からなる一対の電極を用いて容量素子を構成することで、ユーザの指等を検出する。
【００３１】
ここで、図１Ａに示すように、液晶表示部１において、画素基板３１のバックライト側の面には、偏光板３４が、接着層３５を介して貼り合わされている。また、対向基板３２のユーザ側の面には、位相差板３７、導電層３８、及び偏光板３９がその順に積層され、接着層３６を介して貼り合わされている。偏光板３４と偏光板３９は、光学シャッタの一種であり、ある一定の振動方向の光（偏光）のみを通過させるものである。位相差板３７は、視野角補償機能を有する光学フィルムである。導電層３８は、静電気対策用に配置される。
【００３２】
このように、図１Ａの液晶表示部１では、タッチセンサ付液晶パネル４１の上面側の偏光板３９と下面側の偏光板３４のうちの、偏光板３９とタッチセンサ付液晶パネル４１との間に、位相差板３７が配置される。例えば、図２に示すように、FFSモードのタッチセンサ付液晶パネル４１、偏光板３４、及び偏光板３９が、液晶分子５１の初期配向方向と、偏光板３４の吸収軸Ａとが互いに平行となるＯモード構成により配置された場合、位相差板３７は、偏光板３９とタッチセンサ付液晶パネル４１との間に配置するのが一般的である。
【００３３】
ところが、位相差板３７が、偏光板３９とタッチセンサ付液晶パネル４１との間に配置されると、位相差板３７の誘電率の低さから、タッチセンサの感度が低下してしまう場合がある。さらに、インセル型のタッチセンサ付液晶パネル４１では、偏光板３９の構成内に、静電気対策用の導電層３８を配置する必要があるが、タッチセンサ付液晶パネル４１の上面側に配置された位相差板３７と導電層３８との組み合わせにより、タッチセンサの感度の感度がさらに低下する可能性がある。
【００３４】
そこで、本技術の液晶表示部１０では、図１Ｂに示すように、位相差板３７が、タッチセンサ付液晶パネル４１と偏光板３４との間に配置されるようにする。これにより、偏光板３９とタッチセンサ付液晶パネル４１との間には、導電層３８及び接着層３６が形成されるのみとなり、位相差板３７がタッチセンサの感度に影響を及ぼすのを回避して、タッチセンサの感度の劣化を防止することができる。
【００３５】
また、液晶表示部１０の構造であると、位相差板３７と導電層３８を別々に構成することができるため、それらの組み合わせによるタッチセンサの感度への影響を抑制して、タッチセンサの感度の劣化を防止することができる。
【００３６】
ところで、液晶表示部１０において、位相差板３７を、タッチセンサ付液晶パネル４１と偏光板３４との間に配置するに際して、Ｏモード構成による配置を採用すると、視野角特性が損なわれる場合があることが知られている。そこで、液晶表示部１０では、図３に示すように、タッチセンサ付液晶パネル４１、偏光板３４、及び偏光板３９が、液晶分子５１の初期配向方向と、偏光板３４の吸収軸Ａとが互いに直交するＥモード構成により配置されるようにすることができる。これにより、タッチセンサの感度の劣化を防止するだけでなく、広視野角を実現することができる。なお、Ｅモード構成による配置とは、タッチセンサ付液晶パネル４１、偏光板３９、及び偏光板３４が、偏光板３４の透過軸と液晶層３３における液晶分子５１の初期配向方向が平行となるように配置されるか、又は偏光板３４の吸収軸と液晶分子５１の初期配向方向が平面視で直交するように配置されることをいう。
【００３７】
また、液晶表示部１０が、図３のＥモード構成の配置を採用すると、ユーザが偏光サングラス等の偏光めがねを介して、液晶表示部１０を見た場合に、液晶表示部１０に表示された映像を見ることができないことが知られている。そこで、液晶表示部１０では、図４に示すように、例えば、タッチセンサ付液晶パネル４１の画素基板３１又は対向基板３２に設けられた電極が櫛歯状に形成されるようにして、さらに、その櫛歯状の電極が横スリットとなるように配置する。すなわち、タッチセンサ付液晶パネル４１は、複数のスリット状開口が形成された電極を有しており、この電極は、スリット状開口の長手方向が、タッチセンサ付液晶パネル４１の幅方向と平行になるように配置される。このとき、タッチセンサ付液晶パネル４１、偏光板３４、及び偏光板３９は、図４に示すように、Ｅモード構成により配置される。これにより、Ｅモード構成による配置を採用した場合でも、偏光めがねを介して液晶表示部１０の映像を見ることが可能となる。
【００３８】
なお、液晶表示部１０においては、図４のＥモード構成の配置を採用した場合、櫛歯状の電極が横スリットに配置されているため、図３のＥモード構成の配置を採用した場合と比べて、画素の開口率が低下することになる。そこで、タッチセンサ付液晶パネル４１において、いわゆるトリプルゲート構造を採用して画素形状を横長化することで、横スリットの配置を採用した場合でも、開口を損なわず、高感度のタッチセンサと広視野角を実現することができる。
【００３９】
以上のように、第１の実施の形態においては、位相差板３７等の光学フィルムが、タッチセンサ付液晶パネル４１と偏光板３４との間に配置されるようにして、タッチセンサ付液晶パネル４１の下面側に形成される層が、タッチセンサ付液晶パネル４１の上面側に形成される層よりも厚くなるようにする。その結果、タッチセンサの感度の劣化を防止することができる。
【００４０】
また、タッチセンサ付液晶パネル４１の下面側に位相差板３７を配置することで、タッチセンサ付液晶パネル４１に対する周辺回路（例えば、後述する図６の周辺回路２１２）からのノイズを、位相差板３７により遮断することが可能となる。その結果、例えば、タッチセンサの感度を向上させることができる。
【００４１】
なお、図１Ｂの液晶表示部１０において、偏光板３９の上面側に、例えばλ／４板等の位相差板をさらに配置することで、図３のＥモード構成の配置を採用した場合であっても、偏光めがねを介して液晶表示部１０の映像を見ることが可能となる。また、この場合、タッチセンサ付液晶パネル４１の上面側と下面側のそれぞれに、位相差板を配置することになるため、上面側に形成される層と下面側に形成される層の厚さが略同一となり、特に大きな表示領域を有する液晶表示部１０にて生じる、熱による反り対策としても有効である。
【００４２】
＜第２の実施の形態＞
［縦電界方式の液晶表示部の断面図］
図５は、本技術の第２の実施の形態に係る液晶表示部の概略断面構造を示す断面図である。なお、図５においても、図１と同様に、図５Ａは一般的な液晶表示部１０１の構造を示し、図５Ｂは本技術の液晶表示部１１０の構造を示している。
【００４３】
図５の液晶表示部１０１，１１０には、表示パネルとして液晶パネルを用いるとともに、静電容量型タッチセンサとしての機能を有するインセル型のタッチセンサ付液晶パネル１４１が設けられる。
【００４４】
タッチセンサ付液晶パネル１４１は、例えば、ＶＡモード等の縦電界方式の液晶からなる。タッチセンサ付液晶パネル１４１では、対向配置された画素基板１３１と対向基板１３２との間に液晶層１３３が挿設される。液晶層１３３は、基板面に対して略垂直に配向する複数の液晶分子１５１を有し、電界の状態に応じてそこを通過する光を変調する。また、画素基板１３１と対向基板１３２は、前述した画素基板３１と対向基板３２と同様に、静電容量型タッチセンサとして機能することで、ユーザの指等を検出する。
【００４５】
ここで、図５Ａに示すように、例えば、ＶＡモードのタッチセンサ付液晶パネル１４１では、黒色を表示する際の視認性をよくするために２枚の円偏光板を上下に配置して、タッチセンサ付液晶パネル１４１の上面側の層と、下面側の層とを対称に形成するのが一般的である。すなわち、液晶表示部１０１において、画素基板１３１のバックライト側の面には、偏光板１３４及び２軸λ／４板１６１がその順に積層され、接着層１３５を介して貼り合わされている。また、対向基板１３２のユーザ側の面には、２軸λ／４板１６２及び偏光板１３９がその順に積層され、接着層１３６を介して貼り合わされている。ここで、対になって配置される２軸位相差板（２軸λ／４板１６１、２軸λ／４板１６２）は、位相差板の一例であって、例えばＡプレート及びＣプレートが配置されるようにしてもよい。また、偏光板１３４及び偏光板１３９は、前述した偏光板３４及び偏光板３９と同様に、光学シャッタとして構成され、ある一定の振動方向の光（偏光）のみを通過させる。
【００４６】
このように、ある程度の厚みを有する２軸λ／４板１６２が、偏光板１３９とタッチセンサ付液晶パネル１４１との間に配置されると、前述した図１Ａの液晶表示部１と同様に、タッチセンサの感度が低下してしまう場合がある。また、理想的には、２軸の位相差のうち、Ｚ軸方向の分の位相差は、タッチセンサ付液晶パネル１４１の上面側と下面側に対称に配置する必要はなく、上面側と下面側のいずれか一方に配置すればよい。そこで、本技術の液晶表示部１１０では、図５Ｂに示すように、タッチセンサ付液晶パネル１４１の上面側のＺ軸方向の分の位相差を下面側に移動させることで、上面側の位相差板が薄型化されるようにする。
【００４７】
具体的には、タッチセンサ付液晶パネル１４１の上面側には、接着層１３６、λ／４板１６５、及び偏光板１３９がその順に積層され、下面側には、偏光板１３４、λ／４板１６３、ネガティブＣプレート１６４、及び接着層１３５がその順に積層されるようにする。換言すれば、液晶表示部１１０では、タッチセンサ付液晶パネル１４１の上面側と下面側には、円偏光用の１軸Ａプレートをそれぞれ配置し、さらに下面側には、視野角補償用の１軸のＣプレートを配置する。これにより、タッチセンサ付液晶パネル１４１の上面側を、１軸Ａプレートとすることでその厚みを薄くする一方、下面側のみに、視野角補償用の１軸のＣプレートが配置されることなる。その結果、液晶表示部１１０においては、光学性能を維持しつつ、タッチセンサ付液晶パネル１４１の上面側に形成される層を薄くすることができる。
【００４８】
なお、タッチセンサ付液晶パネル１４１の下面側には、視野角補償用の１軸Ｃプレートの代わりに、Ｏプレートや２軸位相差板を配置してもよい。
【００４９】
また、Ａプレートとは、ｎｘ、ｎｙ、及びｎｚを、それぞれ、遅相軸方向、進相軸方向、及び厚み方向の屈折率としたときに、ｎｘ＞ｎｙ＝ｎｚの屈折率分布を示すものである。また、ネガティブＣプレートとは、ｎｘ＝ｎｙ＞ｎｚの屈折率分布を示すものである。さらに、Ｏプレートとは、その補償層を形成する材料の進相軸方向又は遅相軸方向に対応し、複屈折を起こさない方向を規定する光学軸が光透過面に対して斜め方向にあるものである。
【００５０】
以上のように、第２の実施の形態においては、例えば、タッチセンサ付液晶パネル１４１の上面側に円偏光用の１軸Ａプレート等の光学フィルムが配置される一方、下面側に円偏光用の１軸Ａプレート及び視野角補償用の１軸Ｃプレート等の光学フィルムが配置されるようにして、下面側に形成される層が、上面側に形成される層よりも厚くなるようにする。その結果、タッチセンサの感度の劣化を防止することができる。
【００５１】
［表示装置の構成例］
図６は、本技術の一実施の形態に係る表示装置の構成例を示す図である。
【００５２】
表示装置２０１は、タッチセンサ付きの表示装置であって、表示パネルとしての液晶パネルに静電容量型のタッチセンサが内蔵された液晶表示部１０（又は液晶表示部１１０）を有する。ここでは、液晶パネルに元々備えられている電極の一部がタッチセンサ用の駆動電力を兼ねている。この表示装置２０１は、液晶表示部１０（１１０）のほか、バックライト２１１及び周辺回路２１２を備えている。
【００５３】
液晶表示部１０（１１０）は、前述したように、液晶分子５１（１５１）の配列を変化させることにより、光源としてのバックライト２１１からの光を透過、変調させて映像の表示を行う。この液晶表示部１０（１１０）は、マトリックス状に配置された複数の画素を有し、映像信号に応じて、画素ごとの駆動がなされるようになっている。これら複数の画素はそれぞれ、行方向に延在する走査線WSL1及び共通接続線COMに接続されるとともに、列方向に延在する信号線DTLに接続されている。
【００５４】
バックライト２１１は、液晶表示部１０（１１０）を背後から照明するものであり、例えば、LED（Light Emitting Diode）、HCFL（Hot Cathode Fluorescent Lamp：熱陰極管）、CCFL（Cold Cathode Fluorescent Lamp：冷陰極管）などの各種光源を利用した面発光源である。バックライト２１１は、図示はしないが、前述したような光源を表示画面全域にわたって複数配列された構造であってもよいし、導光板を用いるのと共にその側面に上記光源を配置した構造であってもよい。また、バックライト２１１の光出射面には、例えば、拡散板、拡散シート、レンズフィルム、偏光分離シート等の各種光学フィルムが積層されていてもよい。
【００５５】
周辺回路２１２は、液晶表示部１０（１１０）の表示駆動及びセンサ駆動を行うとともに、センサ出力を検出する。周辺回路２１２は、映像信号処理回路２２１、タイミング生成回路２２２、信号線駆動回路２２３、走査線駆動回路２２４、検出回路２２５、及び共通線駆動回路２２６から構成される。
【００５６】
映像信号処理回路２２１は、例えば、外部から入力されたデジタル映像信号を補正するとともに、補正した後の映像信号をアナログに変換して信号線駆動回路２２３に出力する。タイミング生成回路２２２は、例えば、信号線駆動回路２２３と走査線駆動回路２２４とが連動して動作するように制御し、例えば、外部から入力された同期信号に応じて（同期して）、これらの回路に対して制御信号を出力する。信号線駆動回路２２３は、映像信号処理回路２２１から入力されたアナログの映像信号を選択対象の画素に書き込む。走査線駆動回路２２４は、制御信号の入力に応じて（同期して）、複数の走査線WSL1に選択パルスを順次印加して、複数の画素を走査線WSL1単位で順次選択する。共通線駆動回路２２６は、制御信号の入力に応じて（同期して）、複数の共通接続線COMに選択パルスを順次印加して、複数の共通電極を共通接続線COM単位で順次駆動する。
【００５７】
検出回路２２５は、複数の検出電極から得られる検出信号に基づいて、ユーザの指などの画像表示面２０１Ａへの物体の接触又は近接の有無を検出する。また、検出回路２２５は、検出信号に基づき、物体の接触を検出した場合には、共通電極への選択パルスの印加タイミングと、閾値電圧Ｖth以下の検出信号の検出タイミングとに基づき、画像表示面２０１Ａのうち、物体の接触位置（座標）を算出する。
【００５８】
表示装置２０１は、以上のように構成される。
【００５９】
なお、図６の表示装置２０１は、例えば、デジタルテレビジョン受像機、デジタルカメラ、ノート型パーソナルコンピュータ、タブレット型コンピュータ、携帯電話機やスマートフォンなどの携帯端末装置、あるいはビデオカメラなどのあらゆる分野の電子機器に適用することが可能である。換言すれば、表示装置２０１は、外部から入力された映像信号又は内部で生成した映像信号を、画像又は映像として表示するあらゆる分野の電子機器に適用することができる。
【００６０】
また、前述した説明では、インセル型のタッチセンサ付液晶パネル４１について説明したが、例えば、オンセル型又はアウトセル型など、タッチセンサとパネルは一体に構成されるほか、別体として構成されるようにしてもよい。
【００６１】
さらに、前述した説明では、表示パネルとして、液晶層を有する液晶パネルを用いた表示装置を一例に説明したが、これに限定されず、他の表示パネルにも適用可能である。また、タッチセンサとして、静電容量型タッチセンサを一例に説明したが、これに限定されず、他のタイプのタッチセンサにも適用可能である。
【００６２】
なお、本技術の実施の形態は、前述した実施の形態に限定されるものではなく、本技術の要旨を逸脱しない範囲において種々の変更が可能である。
【００６３】
また、本技術は、以下のような構成をとることができる。
【００６４】
（１）
画像を表示する表示領域を有する表示パネルと、
前記表示領域の少なくとも一部と平面的に重なって配置されたタッチセンサと、
前記表示パネルの下面側に形成される層が、前記表示パネルの上面側に形成される層よりも厚くなるように配置される、視野角補償機能を有する光学フィルムと
を備える表示装置。
（２）
前記表示パネルは、横電界方式により駆動される液晶パネルであって、
前記液晶パネルの上面側に配置され、所定の偏光の光のみを透過する上偏光板と、
前記液晶パネルの下面側に配置され、所定の偏光の光のみを透過する下偏光板と
をさらに備え、
前記光学フィルムは、前記液晶パネルと前記下偏光板との間に配置される
（１）に記載の表示装置。
（３）
前記液晶パネル、前記上偏光板、及び前記下偏光板は、前記下偏光板の透過軸と前記液晶パネルの液晶層の初期配向方向が平行となるように配置されるか、又は前記下偏光板の吸収軸と前記液晶層の初期配向方向が平面視で直交するように配置される
（２）に記載の表示装置。
（４）
前記液晶パネルは、複数のスリット状開口が形成された電極を有しており、
前記電極は、前記スリット状開口の長手方向が、前記液晶パネルの幅方向と平行となるように配置される
（３）に記載の表示装置。
（５）
前記光学フィルムは、位相差板である
（２）乃至（４）の何れかに記載の表示装置。
（６）
前記表示パネルは、縦電界方式により駆動される液晶パネルであって、
前記液晶パネルの上面側に配置され、所定の偏光の光のみを透過する上偏光板と、
前記液晶パネルの下面側に配置され、所定の偏光の光のみを透過する下偏光板と
をさらに備え、
前記光学フィルムは、前記液晶パネルと前記上偏光板との間に配置される上光学フィルムと、前記液晶パネルと前記下偏光板との間に配置される下光学フィルムからなり、
前記下光学フィルムが、前記上光学フィルムよりも厚くなるように形成される
（１）に記載の表示装置。
（７）
前記上光学フィルムは、円偏光用の１軸Ａプレートであり、
前記下光学フィルムは、円偏光用の１軸Ａプレートと、視野角補償用の１軸Ｃプレート又はＯプレートから構成される
（６）に記載の表示装置。
（８）
前記タッチセンサと、前記表示パネルとは一体に構成される
（１）乃至（７）の何れかに記載の表示装置。
（９）
画像を表示する表示領域を有する表示パネルと、
前記表示領域の少なくとも一部と平面的に重なって配置されたタッチセンサと、
前記表示パネルの下面側に形成される層が、前記表示パネルの上面側に形成される層よりも厚くなるように配置される、視野角補償機能を有する光学フィルムと
を有する表示装置を備えた電子機器。
【符号の説明】
【００６５】
１０，１１０  液晶表示部，  ３１，１３１  画素基板，  ３２，１３２  対向基板，  ３３，１３３  液晶層，  ３４，３９，１３４，１３９  偏光板，  ３７  位相差板，  ４１，１４１  タッチセンサ付液晶パネル，  １６３，１６５  λ／４板，  １６４  ネガティブＣプレート，  ２０１  表示装置，  ２１１  バックライト，  ２１２  周辺回路
【図１】
2015212962.tif 000003
【図２】
2015212962.tif 000004
【図３】
2015212962.tif 000005
【図４】
2015212962.tif 000006
【図５】
2015212962.tif 000007
【図６】
2015212962.tif 000008